(57)【特許請求の範囲】
【請求項１】
トラス式鉄塔建設・補修工事用つなぎ装置であって、
１又は複数の細長い部材によって構成され、一方の端部が前記細長い部材に対して実質的に直交するように配置された横断部材にピン接合具を介して回転可能に取り付けられ、他方の端部が自由端となっている第１のつなぎ材と、
前記第１のつなぎ材に隣接して位置し、１又は複数の細長い部材によって構成され、一方の端部が前記横断部材にピン接合具を介して回転可能に取り付けられ、他方の端部が自由端となっている第２のつなぎ材と、
前記第１および第２のつなぎ材の前記自由端をトラス式鉄塔の所望の部材に固定するための固定具とを備え、
前記横断部材を足場の所定箇所に取り付け、前記第１および第２のつなぎ材の前記自由端を前記固定具によってトラス式鉄塔の所望の部材に選択的に固定したり固定解除したりするように構成されていることを特徴とする壁つなぎ装置。
【請求項２】
前記第１のつなぎ材を構成する前記細長い部材の前記一方の端部を、前記横断部材から取り外すことができ、前記第２のつなぎ材を構成する前記細長い部材の前記一方の端部を、前記横断部材から取り外すことができるように構成されていることを特徴とする請求項１に記載された壁つなぎ装置。
【請求項３】
トラス式鉄塔建設・補修工事用つなぎ装置であって、
１又は複数の細長い部材によって構成され、一方の端部が足場の所定箇所にピン接合具を介して回転可能に取り付けられ、他方の端部が自由端となっている第１のつなぎ材と、
前記第１のつなぎ材に隣接して位置し、１又は複数の細長い部材によって構成され、一方の端部が前記足場の所定箇所にピン接合具を介して回転可能に取り付けられ、他方の端部が自由端となっている第２のつなぎ材と、
前記第１および第２のつなぎ材の前記自由端をトラス式鉄塔の所望の部材に固定するための固定具とを備え、
前記第１および第２のつなぎ材の前記自由端を前記固定具によってトラス式鉄塔の所望の部材に選択的に固定したり固定解除したりするように構成されていることを特徴とする壁つなぎ装置。
【請求項４】
前記第１のつなぎ材および前記第２のつなぎ材の前記横断部材又は前記足場の所定箇所への取り付けが、垂直方向、水平方向、斜め上方向、又は斜め下方向に回転可能なものであることを特徴とする請求項１から請求項３までのいずれか１項に記載されたつなぎ装置。
【請求項５】
前記トラス式鉄塔が、無線鉄塔、送電鉄塔、各種アンテナの支持用鉄塔、煙突支持用鉄塔、気象観測用鉄塔、消防用鉄塔のいずれかであることを特徴とする請求項１から請求項４までのいずれか１項に記載されたつなぎ装置。
【請求項６】
前記請求項１から請求項５までのいずれか１項に記載されたつなぎ装置を使用した移動昇降式足場によるトラス式鉄塔の建設・補修方法であって、
昇降する足場となる作業用ステージ、及び前記作業用ステージが昇降する際のガイドレールとなるマストを有する移動昇降式足場を準備する第１段階と、
前記作業用ステージを上昇させ、前記鉄塔の上端近傍まで所定高さのところで、前記つなぎ装置を介して前記マストと前記鉄塔の所望の部材とをそれぞれ接続する第２段階と、
前記トラス式鉄塔の下方から上端近傍まで前記作業ステージを順次上昇させて建設又は補修作業を行う第３段階と、
前記第１および第２のつなぎ材の前記自由端を前記固定具によってトラス式鉄塔の所望の部材に選択的に固定したり固定解除して前記作業を行う第４段階と、
前記作業が完了後、前記つなぎ装置および前記マストを逐次取り外しながら、前記作業用ステージを地上まで下降させる第５段階と、
を含むことを特徴とする方法。
【発明の詳細な説明】
【技術分野】
【０００１】
本発明は、トラス式鉄塔の建設・補修工事に用いられるつなぎ装置および該つなぎ装置を使用した移動昇降式足場によるトラス式鉄塔の建設・補修方法に関する。本発明におけるトラス式鉄塔としては、例えば送電鉄塔の他、種々のトラス式鉄塔があげられる。
【背景技術】
【０００２】
従来、塔状構造物を建設し或いは補修する際には、枠組足場や単管足場を組んだり、ゴンドラを使用したりして作業が行われていた。本発明者は、塔状構造物のうち無線鉄塔のような円筒構造物の建設・補修工事に使用する新規な壁つなぎバンドを下記の特許文献１において提案している。
【先行技術文献】
【特許文献】
【０００３】
【特許文献１】特許第５２９９９８２号公報
【発明の概要】
【発明が解決しようとする課題】
【０００４】
塔状構造物の各種工事において足場を使用すると、枠組足場や単管足場等の組立や解体に手間がかかり、コスト面や工期面で不利であるという課題がある。また、ゴンドラを使用して作業すると、風の影響により工事の中断を余儀なくされることがあり、工期や安全上の点からも問題がある。さらに、足場の組立や解体、ゴンドラの設置には、高所作業や危険作業を伴うため、墜落落下等の事故が発生するおそれがある。本発明者は、これらの点を考慮し、上述のように新規な壁つなぎバンドを開発し、これにより塔状構造物のうち円筒構造物の建設・補修工事についてはこのような不都合は解消されたが、トラス式鉄塔の建設・補修工事においては、依然としてこのような不都合が解消されない状態であった。
【０００５】
本発明は、このような状況に鑑みて開発されたものであって、上述の従来技術の課題を克服し、工期面や安全面等で優れた効果を有するトラス式鉄塔建設・補修工事用つなぎ装置および該つなぎ装置を使用した移動昇降式足場によるトラス式鉄塔の建設・補修方法を提供することを目的としている。
【課題を解決するための手段】
【０００６】
本願請求項１に記載のトラス式鉄塔建設・補修工事用つなぎ装置は、１又は複数の細長い部材によって構成され、一方の端部が前記細長い部材に対して実質的に直交するように配置された横断部材にピン接合具を介して回転可能に取り付けられ、他方の端部が自由端となっている第１のつなぎ材と、前記第１のつなぎ材に隣接して位置し、１又は複数の細長い部材によって構成され、一方の端部が前記横断部材にピン接合具を介して回転可能に取り付けられ、他方の端部が自由端となっている第２のつなぎ材と、前記第１および第２のつなぎ材の前記自由端をトラス式鉄塔の所望の部材に固定するための固定具とを備え、前記横断部材を足場の所定箇所に取り付け、前記第１および第２のつなぎ材の前記自由端を前記固定具によってトラス式鉄塔の所望の部材に選択的に固定したり固定解除したりするように構成されていることを特徴とするものである。
【０００７】
本願請求項２に記載のトラス式鉄塔建設・補修工事用つなぎ装置は、前記請求項１の装置において、前記第１のつなぎ材を構成する前記細長い部材の前記一方の端部を、前記横断部材から取り外すことができ、前記第２のつなぎ材を構成する前記細長い部材の前記一方の端部を、前記横断部材から取り外すことができるように構成されていることを特徴とするものである。
【０００８】
本願請求項３に記載のトラス式鉄塔建設・補修工事用つなぎ装置は、１又は複数の細長い部材によって構成され、一方の端部が足場の所定箇所にピン接合具を介して回転可能に取り付けられ、他方の端部が自由端となっている第１のつなぎ材と、前記第１のつなぎ材に隣接して位置し、１又は複数の細長い部材によって構成され、一方の端部が前記足場の所定箇所にピン接合具を介して回転可能に取り付けられ、他方の端部が自由端となっている第２のつなぎ材と、前記第１および第２のつなぎ材の前記自由端をトラス式鉄塔の所望の部材に固定するための固定具とを備え、前記第１および第２のつなぎ材の前記自由端を前記固定具によってトラス式鉄塔の所望の部材に選択的に固定したり固定解除したりするように構成されていることを特徴とするものである。
【０００９】
本願請求項４に記載のトラス式鉄塔建設・補修工事用つなぎ装置は、前記請求項１から請求項３までのいずれか１項の装置において、前記第１のつなぎ材および前記第２のつなぎ材の前記横断部材又は前記足場の所定箇所への取り付けが、垂直方向、水平方向、斜め上方向、又は斜め下方向に回転可能なものであることを特徴とするものである。
【００１０】
本願請求項５に記載のトラス式鉄塔建設・補修工事用つなぎ装置は、前記請求項１から請求項４までのいずれか１項の装置において、前記トラス式鉄塔が、無線鉄塔、送電鉄塔、各種アンテナの支持用鉄塔、煙突支持用鉄塔、気象観測用鉄塔、消防用鉄塔のいずれかであることを特徴とするものである。
【００１１】
本願請求項６に記載の、前記請求項１から請求項５までのいずれか１項に記載されたつなぎ装置を用した移動昇降式足場によるトラス式鉄塔の建設・補修方法は、昇降する足場となる作業用ステージ、及び前記作業用ステージが昇降する際のガイドレールとなるマストを有する移動昇降式足場を準備する第１段階と、前記作業用ステージを上昇させ、前記鉄塔の上端近傍まで所定高さのところで、前記つなぎ装置を介して前記マストと前記鉄塔の所望の部材とをそれぞれ接続する第２段階と、前記トラス式鉄塔の下方から上端近傍まで前記作業ステージを順次上昇させて建設又は補修作業を行う第３段階と、前記第１および第２のつなぎ材の前記自由端を前記固定具によってトラス式鉄塔の所望の部材に選択的に固定したり固定解除して前記作業を行う第４段階と、前記作業が完了後、前記つなぎ装置および前記マストを逐次取り外しながら、前記作業用ステージを地上まで下降させる第５段階とを含むことを特徴とするものである。
【発明の効果】
【００１２】
本発明のつなぎ装置によれば、塗装工事において第１のつなぎ材の自由端と第２のつなぎ材の自由端の固定を交互に解除することにより、移動昇降式足場のトラス式鉄塔への支持を確保しつつ、ダメ直しがなくなり、効率的な塗装作業が可能になる。本発明のつなぎ装置は、比較的簡単な構成であるため、低コストで提供することができる。また、第１および第２のつなぎ材を横断部材から取り外し可能にすることより、取り外した部材を他の用途に転用できる他、ピン接合で回転させて盛替えるのが困難な事態であっても迅速に対処可能となる。また、本発明のつなぎ装置を使用した建設・補修方法では、組立及び解体に要する時間を大幅に短縮することができるとともに、移動昇降式足場の使用により、安全性を向上させることができ、クレーンを使用しなくとも施工することができる。さらに、本発明のつなぎ装置および本発明のつなぎ装置を使用した建設・補修方法により、良好な施工性が得られ、施工効率の向上を図ることができる。
【図面の簡単な説明】
【００１３】
【図１】本発明の好ましい実施の形態に係るトラス式鉄塔建設・補修工事用つなぎ装置を示した斜視図である。
【図２】図２（ａ）は、つなぎ装置とマストとの接続部を示した側面図、図２（ｂ）は、図２（ａ）の線２ｂ−２ｂに沿って見た図である。
【図３】図３（ａ）は、図２（ｂ）の部分３ａの拡大図、図３（ｂ）は、図３（ａ）の線３ｂ−３ｂに沿って見た図である。
【図４】図１のつなぎ装置を用いて工事が行われるトラス式鉄塔を示した全体図である。
【図５】図４の部分５の拡大図である。
【図６】図６（ａ）および（ｂ）は、移動昇降式足場の細部を示した図である。
【図７】図１のつなぎ装置の使用手順の一例を示した図である。
【図８】図８（ａ）は、つなぎ装置の変形形態を示した平面図、図８（ｂ）および（ｃ）は、つなぎ装置の別の変形形態を示した図である。
【発明を実施するための形態】
【００１４】
次に図面を参照して、本発明の好ましい実施の形態に係るトラス式鉄塔（以下、単に「鉄塔」という）建設・補修工事用つなぎ装置（以下、単に「つなぎ装置」という）について詳細に説明する。図１において全体として参照符号１０で示される本発明の好ましい実施の形態に係るつなぎ装置は、第１のつなぎ材１２と、第２のつなぎ材１４とを備えている。
【００１５】
第１のつなぎ材１２は、ほぼ平行に配置された一対の細長い部材１２ａ、１２ｂによって構成されている。各部材１２ａ、１２ｂは、一方の端部１２ａ１、１２ｂ１が部材１２ａ、１２ｂに対して実質的に直交するように配置された横断部材１６に回転可能に取り付けられており、他方の端部１２ａ２、１２ｂ２が自由端となっている。
【００１６】
第２のつなぎ材１４も、第１のつなぎ材１２と同様に、ほぼ平行に配置された一対の細長い部材１４ａ、１４ｂによって構成されている。そして、各部材１４ａ、１４ｂは、一方の端部１４ａ１、１４ｂ１が部材１４ａ、１４ｂに対して実質的に直交するように配置された横断部材１６に回転可能に取り付けられており、他方の端部１４ａ２、１４ｂ２が自由端となっている。
【００１７】
第２のつなぎ材１４は、図１に示されるように、第１のつなぎ材１２に隣接して（すなわち、部材１４ａが部材１２ａのすぐ外側に、部材１４ｂが部材１２ｂのすぐ外側に）配置されている。
【００１８】
なお、第１および第２のつなぎ材１２、１４を構成する各部材は、円形パイプとして図示されているが、他の適当な部材（例えば、角パイプ、丸棒、角棒、各種型鋼など）を使用してもよい。また、第１および第２のつなぎ材１２、１４の横断部材１６への回転可能な取り付けには、ピン接合が可能な専用部材１８を準備して使用してもよいし、ピン接合が可能な市販のクランプを使用してもよい。
【００１９】
つなぎ装置１０はまた、第１および第２のつなぎ材１２、１４の自由端を鉄塔の所望の部材に固定するための固定具１９を備えている。固定具１９としては、専用の固定具を準備して使用してもよいし、市販のガードクランプを使用してもよい。なお、固定具１９の使用に際して固定具１９により鉄塔の部材が傷付けられることのないように、固定具１９と鉄塔の部材の表面との間に、保護パッド１９ａを挿入するのが好ましい。保護パッド１９ａとしては、例えば、鉄板をコの字形に形作り、コの字形の内側に弾性材料（ゴム等）を貼ったもの等が使用される。
【００２０】
次に、図４に示されるようなトラス式の無線鉄塔の構成部材（柱材、水平材、ブレース材など）の塗装工事を行う場合を例にとり、つなぎ装置１０を使用した工事の手順について説明する。
【００２１】
工事には、図５に示されるような移動昇降式足場２０を使用する。この移動昇降式足場２０自体は公知の装置であり、昇降する足場となる作業用ステージ２２と、作業用ステージ２２が昇降する際のガイドレールとなる四角筒形状のマスト２４とを有している。マスト２４は、所定長さのものを順次上端にボルト等で継ぎ足して所要高さを確保するようになっている。作業用ステージ２２には、図６（ａ）に示されるように、モータ（図示せず）およびモータによって駆動されるピニオンギア２２ａが配置され、マスト２４の一面には、ピニオンギア２２ａに噛み合うラック２４ａが配置されており、モータを作動させてピニオンギア２２ａを回転させることにより、ピニオンギア２２ａとラック２４ａとの噛み合わせにより作業用ステージ２２を昇降させるように構成されている。なお、作業用ステージ２２の昇降を安定的に行うため、マスト２４の隅部に接するガイドローラ２２ｂが設けられている（図６（ｂ）参照）。
【００２２】
まず最初に、移動昇降式足場２０を準備し、地上から作業用ステージ２２を上昇させ、所定高さのところで、つなぎ装置１０を介して、マスト２４と鉄塔の所望の部材とを接続する。このようにして、鉄塔の上端近傍の箇所まで、つなぎ装置１０及びマスト２４を設置する。
【００２３】
つなぎ装置１０は、マスト２４に設けられているつなぎステー２６に横断部材１６を固定することによって設置される。横断部材１６のつなぎステー２６への固定は、締結具（クランプ）を用いて行われる。横断部材１６をつなぎステー２６に固定した後、横断部材１６に第１および第２のつなぎ材１２、１４をピン接合する。そして、第１のつなぎ材１２の自由端及び／又は第２のつなぎ材１４の自由端を鉄塔の所望の部材に固定具１９を用いて固定することによって、鉄塔と移動昇降式足場２０がつなぎ装置１０を介して接続されることとなる。
【００２４】
図２（ａ）、図２（ｂ）、図３（ａ）、及び図３（ｂ）は、つなぎ装置１０を介したマスト２４と鉄塔との接続部の一例を示した図である。
【００２５】
以上のようにしてつなぎ装置１０及びマスト２４を設置した後、鉄塔の下方から上端近傍まで作業ステージ２２を順次上昇させ、作業ステージ２２上から塗装作業を行う。
【００２６】
その際、図７に示されるように、第１のつなぎ材１２の自由端と第２のつなぎ材１４の自由端の固定解除を交互に行うことにより、マスト２４の支持を確保しつつ、ダメ直しのない円滑な塗装作業を実施することができる。すなわち、図７（ａ）において、第１のつなぎ材１２の自由端を鉄塔の水平材（Ｌ型鋼等）に固定する。この状態で、第２のつなぎ材１４の自由端が固定される水平材の箇所の塗装を行う。次いで、図７（ｂ）において、第２のつなぎ材１４の自由端を下方に回転させ、第１のつなぎ材１２と同様に第２のつなぎ材１４も水平材に固定する。次いで、図７（ｃ）において、第２のつなぎ材１４の自由端を鉄塔の水平材に固定しつつ、第１のつなぎ材１２を固定解除して自由端を上方に回転させ、第１のつなぎ材１２の自由端が固定される水平材の箇所の塗装を行う。このような手順を繰り返すことにより、マスト２４の支持と円滑な塗装作業の両方を確実に実施することができる。
【００２７】
塗装作業が全て完了すると、つなぎ装置１０およびマスト２４を逐次取り外しながら、作業用ステージ２２を地上まで下降させ、工事が終了する。
【００２８】
本発明は、以上の発明の実施の形態に限定されることなく、特許請求の範囲に記載された発明の範囲内で、種々の変更が可能であり、それらも本発明の範囲内に包含されるものであることはいうまでもない。
【００２９】
たとえば、図８（ａ）に示されるように、第１のつなぎ材１２を構成する一対の細長い部材１２ａ、１２ｂ同士を横ぶれ防止材１５ａで連結し、第２のつなぎ材１４を構成する一対の細長い部材１４ａ、１４ｂ同士を横ぶれ防止材１５ｂで連結してもよい。
【００３０】
また、第１のつなぎ材１２および第２のつなぎ材１４を横断部材１６から取り外しできるように構成してもよい。図８（ｂ）には、部材１２ａを回転可能かつ取外し可能に横方向部材１６にピン接合するピン接合具１８′の一例が示されている。ピン接合具１８′は、ねじ１８′ｂでリング１８′ａを締めつけて部材１２ａを把持するように構成されており、図８（ｃ）に示されるように、ねじ１８′ｂを緩めてリング１８′ａを開くことにより、部材１２ａを容易に取り外すことができるようになっている。このようにすることにより、取り外した材を他の用途に転用し易くなり、解体も容易になるほか、ピン接合で回転させて盛替えるのが困難な事態であっても迅速に対処可能となる。なお、図８（ｂ）および（ｃ）に示される構成は、例示的なものにすぎず、取り外し可能な他の適当な構成を採用してもよい。
【００３１】
また、前記実施の形態では、第１のつなぎ材１２、第２のつなぎ材１４がそれぞれ２本の細長い部材で構成されているが、第１のつなぎ材１２、第２のつなぎ材１４がそれぞれ３本以上の細長い部材で構成されるようにしてもよいし、軽微な接続で足りる場合には、第１のつなぎ材１２、第２のつなぎ材１４がそれぞれ１本の細長い部材で構成されるようにしてもよい。また、前記実施の形態では、第１のつなぎ材１２、第２のつなぎ材１４の自由端が垂直方向に回転するように構成されているが、水平方向に回転するように構成してもよいし、斜め上方向又は斜め下方向に回転するように構成してもよい。
【００３２】
また、前記実施の形態では、第１のつなぎ材１２、第２のつなぎ材１４が横断部材１６に回転可能に取り付けられているが、第１のつなぎ材１２、第２のつなぎ材１４を、横断部材１６を用いずに、足場の所定箇所に回転可能に取り付けてもよい。
【００３３】
さらに、前記実施の形態では、トラス式の無線鉄塔の外壁の塗装工事に関連して工事の手順が説明されているが、送電鉄塔、各種アンテナの支持用鉄塔、化学プラント等の煙突支持用鉄塔、気象観測用鉄塔、消防用鉄塔などの他のトラス式鉄塔の建設・補修工事に使用してもよい。また、建設・補修工事において図５に示される移動昇降式足場２０と異なる型式の足場を使用してもよい。
【符号の説明】
【００３４】
１０  つなぎ装置
１２  第１のつなぎ材
１２ａ、１２ｂ  細長い部材
１２ａ１、１２ｂ１  細長い部材の回転端
１２ａ２、１２ｂ２  細長い部材の自由端
１４  第２のつなぎ材
１４ａ、１４ｂ  細長い部材
１４ａ１、１４ｂ１  細長い部材の回転端
１４ａ２、１４ｂ２  細長い部材の自由端
１５ａ、１５ｂ  横ぶれ防止材
１６  横断部材
１８  ピン接合具
１９  固定具
１９ａ  保護パッド
２０  移動昇降式足場
２２  作業用ステージ
２２ａ  ピニオンギア
２２ｂ  ガイドローラ
２４  マスト
２４ａ  ラック
２６  つなぎステー
【要約】
【課題】工期面や安全面等で優れた効果を有するトラス式鉄塔建設・補修工事用つなぎ装置及びこのつなぎ装置を使用した移動昇降式足場によるトラス式鉄塔の建設・補修方法を提供することである。
【解決手段】１又は複数の細長い部材（１２ａ、１２ｂ）によって構成され、一方の端部が横方向部材にピン接合具（１８）を介して回転可能に取り付けられ、他方の端部が自由端となっている第１のつなぎ材（１２）と、１又は複数の細長い部材（１４ａ、１４ｂ）によって構成され、一方の端部が横方向部材にピン接合具を介して回転可能に取り付けられ、他方の端部が自由端となっている第２のつなぎ材（１４）と、第１および第２のつなぎ材の自由端をトラス式鉄塔の所望の部材に固定するための固定具（１９）とを備えることを特徴とするつなぎ装置（１０）が提供される。
【選択図】  図１【図１】
0005456201.tif 000002
【図２】
0005456201.tif 000003
【図３】
0005456201.tif 000004
【図４】
0005456201.tif 000005
【図５】
0005456201.tif 000006
【図６】
0005456201.tif 000007
【図７】
0005456201.tif 000008
【図８】
0005456201.tif 000009